(57)【特許請求の範囲】
【請求項１】
容器本体と、前記容器本体の開口部を開閉する栓体を有する飲料用容器であって、
前記栓体は、上栓、中栓、栓カバー及び栓体パッキンを有し、
前記栓体パッキンは前記中栓に設けられ、
前記栓体の閉栓時、前記栓体パッキンは前記容器本体内を閉鎖し、
前記栓体の開栓時、前記栓カバーは回転し、前記栓体パッキン及び前記中栓は回転することなく上動することを特徴とする飲料用容器。
【発明の詳細な説明】
【技術分野】
【０００１】
本願発明は、飲料を入れる飲料用容器であり、容器本体の栓体を開けるだけで飲料容器内の飲料を飲むことができる飲料用容器の栓体構造に関するものである。
【背景技術】
【０００２】
従来、冷水、湯、コーヒー等の飲料物を入れて持ち運びする携帯用のステンレスボトル等の飲料用容器が知られている。ステンレスボトルは、例えば飲料物を入れる容器本体を真空二重構造とし、容器本体の開口部を閉鎖する栓体を複数部材から構成し、その内部に断熱空間を形成して断熱を図っている。
【０００３】
従来のステンレスボトルの一例を図９（容器本体の全体は図１のものと同じ）に示す。
【０００４】
ステンレスボトルは、容器本体１及び栓体２からなる。容器本体１は、内ケース１ａ及び外ケース１ｂを有し、内ケース１ａと外ケース１ｂの間の内部空間１ｃは真空とされ、その上部には開口部３を有する飲み口４が形成される全体として真空２重構造の容器である。
【０００５】
また、栓体２は、上栓２ａと中栓２ｂと栓カバー２ｃの３部材からなり、上栓２ａの外周には上栓外周ネジ２ａａを有し、中栓２ｂの内周には中栓内周ネジ２ｂａを有し、中栓２ｂの外周には中栓外周ネジ２ｂｂを有する。
【０００６】
そして、中栓２ｂの上部上面と栓カバー２ｃの上部下面は溶着されて一体化され、両部材の間に下方開口の幅の狭い環状溝５を有する。上栓２ａと、一体化された中栓２ｂ及び栓カバー２ｃとは、上栓２ａの上栓外周ネジ２ａａを中栓２ｂの中栓内周ネジ２ｂａに螺合することにより一体化されて栓体２が形成される。
【０００７】
閉栓時には、中栓２ｂの中栓外周ネジ２ｂｂを内ケース１ａの上部内周に設けられる内ケース内周ネジ１ａａに螺合する。すると、栓体２の環状溝５に飲み口４が嵌入し、中栓２ｂの下端外周に設けられる栓体パッキン６が開口部３を閉鎖する。
【０００８】
ところで、このような栓体２は、中栓２ｂ及び栓体パッキン６が栓体２と一体であり、栓体２の開閉栓時、栓体パッキン６は栓体２とともに回動する。すると、栓体２の開閉栓時であって、栓体パッキン６と飲み口４とが当接している期間中、栓体パッキン６と飲み口４との間に斜め方向の抵抗が発生し、その結果、栓体パッキン６はねじれて栓体パッキン６と飲み口４との間で所謂鳴きが発生する。
【０００９】
また、このような栓体２は、上記環状溝５に汚れが溜まりやすいが、環状溝５は幅が狭く、中栓２ｂと栓カバー２ｃとは一体化されているため、きれいに洗いにくい。
【先行技術文献】
【特許文献】
【００１０】
【特許文献１】特開平１０−２７２０６８号公報
【発明の概要】
【発明が解決しようとする課題】
【００１１】
本願発明の目的は、栓体を分解可能にし、さらに中栓を回転可能にすることにより、栓体２の開閉栓時の所謂鳴きをなくし、または、環状溝等の洗いにくい箇所の洗浄を容易にする飲料用容器を提供することである。
【課題を解決するための手段】
【００１２】
上記目的を達成するため、本願発明は以下の構成を採用する。
【００１３】
請求項１に係る発明では、容器本体と、前記容器本体の開口部を開閉する栓体を有する飲料用容器であって、前記栓体は、上栓、中栓、栓カバー及び栓体パッキンを有し、前記栓体パッキンは前記中栓に設けられ、前記栓体の閉栓時、前記栓体パッキンは前記容器本体内を閉鎖し、前記栓体の開栓時、前記栓カバーは回転し、前記栓体パッキン及び前記中栓は回転することなく上動する構成。
【発明の効果】
【００１７】
請求項１に係る発明では、栓体の開栓時、栓体パッキン及び中栓は回転することなく上動することにより、開栓初期時に栓体パッキンと開口部とが当接状態から離間するまでの間に摩擦力により栓体パッキンがねじれて発生する所謂鳴きをなくすことができる。なお、閉栓時においても同じであり、閉栓時の場合は、栓体パッキンと開口部とは当接するまでは共に回転し、閉栓後期時の当接後は発生する摩擦力により栓体パッキン及び中栓は回転することなく下動することにより、栓体パッキンと開口部との間に発生する所謂鳴きをなくすことができる。
【００１８】
また、上栓と中栓と栓カバーとを分解可能にすることにより、分解後の各部品の洗浄をより容易にすることができる。また、例えば上栓がメッキを施したものであれば、上栓を取外し、メッキが損傷するような例えば食洗機での洗浄を避けることができる。
【００１９】
また、栓カバーを栓カバー本体と栓リングとに分解可能にすることにより、栓カバー本体と栓リングとの間に形成される幅の狭い環状溝の洗浄を容易に行うことができる。
【００２０】
また、中栓及び栓カバーを単一部品にすることにより、分解後の中栓及び栓カバーの洗浄をより容易にすることができる。
【図面の簡単な説明】
【００２１】
【図１】飲料用容器の全体断面図
【図２】飲料用容器の栓体の一部拡大断面図
【図３】（Ａ）は栓体を斜め上方から見た斜視図、（Ｂ）は栓体を斜め下方から見た斜視図
【図４】上栓を、中栓及び栓カバーを一体に嵌合したものから取り外した状態を示す斜視図
【図５】上栓を分解した状態を斜め下方から見た斜視図
【図６】栓リングから中栓パッキンを取り外した状態を示す斜視図
【図７】中栓から栓体パッキンを取り外した状態を示す斜視図
【図８】栓体を上栓と、栓カバー本体と、栓リング（中栓パッキン付き）と、中栓（栓体パッキン付き）とに分解した状態を斜め上方から見た斜視図
【図９】従来の飲料用容器の一部拡大断面図
【実施例】
【００２２】
図１に本願発明の飲料用容器の全体断面図を示し、図２に栓体の一部拡大断面図を示し、図３〜図８に栓体の各部品の分解図等を示す。本願発明の飲料用容器は、内部に飲料物を入れるものであればどのようなものでもよい。以下においては携帯用のステンレスボトルを用いて説明する。
【００２３】
ステンレスボトルＳは、容器本体１０と栓体２０を有する。容器本体１０は、内ケース１１、外ケース１２及び底板１３を有する。内ケース１１は、上部に開口部１４を有する容器状のステンレス製の部材であり、その上部内周には内ケース内周ネジ１５を有する。
【００２４】
前記外ケース１２は、上下が開口した略筒状のステンレス製の部材であり、その上部は小径部１６とされ、その小径部１６の環状面は平面である。前記底板１３は、皿状のステンレス製の部材である。
【００２５】
外ケース１２の下端と底板１３の上端は溶着され、更に、内ケース１１の上端と外ケース１２の小径部１６の上端は溶着されて内ケース１１と外ケース１２と底板１３との間に内部空間１８を形成し、この内部空間１８を真空引きすることにより保温性能が高い真空二重構造体を形成している。
【００２６】
前記栓体２０は、上栓２１、栓カバー３０及び中栓５０を有し、その一部拡大断面図を図２に示し、その上方斜視図を図３（Ａ）に示し、その下方斜視図を図３（Ｂ）に示し、各部材を取り外した状態を図４〜図８に示す。
【００２７】
前記上栓２１は、さらに上蓋２２及び内蓋２４を有し、斜め下方から見た状態を図５に示す。前記上蓋２２は、平板状の円板部２２ａと中央に位置し、下方に垂下する長さの短い筒部２２ｂを有し、円板部２２ａの外周には円弧状に若干下方に垂れ下がるスカート部２２ｃを有する樹脂部材である。
【００２８】
内蓋２４は、上方が開口した中空で容器状の樹脂部材で、上端部には外方に張り出してなる環状のフランジ部２４ａを有し、その外周には後記中栓５０の中栓内周ネジ５２に螺合する内蓋外周ネジ２４ｂを有する。
【００２９】
そして、図５に示すように、逆にした上蓋２２の筒部２２ｂの外周に内蓋２４の中空部が入り込むように置き、上蓋２２の内底面と内蓋２４のフランジ部２４ａの上面を当接し、当接面を超音波溶着し、両部材を一体化して上栓２１を形成する。そして、必要に応じて上蓋２２の上面をメッキ処理する。なお、メッキ処理した場合には食洗機での洗浄は避けるのが好ましい。
【００３０】
前記栓カバー３０は、栓カバー本体３１及び栓リング４０を有する。前記栓カバー本体３１は、その外周に下方に垂下するスカート部３３を有する平面視円形で、縦断面キャップ状の樹脂部材で、その上部中央には、栓リング４０の上端部が嵌入する略円形の中央開口３４を有する。また、中央開口３４には、小さく外方へ窪んだ平面視コ字状の窪み３５が径方向に対向して２個設けられるとともに、２個の窪み３５から９０度ずれた位置に対向して２個の直線部３６が設けられる。さらに中央開口３４の内周下端には内方にわずかに張り出してなる略環状の突起３７が窪み３５を除いて設けられている。
【００３１】
前記栓リング４０は、上下が開口した筒状の樹脂部材であり、その上端外周には、２個の平面視コ字状で水平のフランジ４１が外方に張り出す形態で径方向に対向して設けられ、さらに２個のフランジ４１から９０度ずれた位置に対向して２個の直線部４１ａが設けられる。
【００３２】
また、その外周には、上方から下方にかけて中栓パッキン４５を嵌合するための上部嵌合溝４２と、上記内ケース１１の内ケース内周ネジ１５に螺合する栓リング外周ネジ４３を有し、その内周は平坦である。
【００３３】
中栓パッキン４５は、高さの低いリング状のシリコン製の部材であり、その外周の中央部には外方に張り出した環状突起４６を有する（図２参照）。
【００３４】
前記中栓５０は、上方が開口した有底で中空の容器状の樹脂部材であり、その下端外周には、栓体パッキン４８を嵌合するための下部嵌合溝５１を有し、その内周には、上記上栓２１の内蓋２４の内蓋外周ネジ２４ｂが螺合する中栓内周ネジ５２を有する。
【００３５】
なお、中栓内周ネジ５２は、左右に対向して配置される上下２条の傾斜突起として形成され、その形成を容易にしている。また、内蓋外周ネジ２４ｂまたは／及び中栓内周ネジ５２の最後の方のネジの傾きを変えることにより螺合後のゆるみ止めにすることができる。上栓２１、栓カバー３０（栓カバー本体３１と栓リング４０）及び中栓５０を取り外した状態を図８に示す。
【００３６】
栓体パッキン４８は、環状のシリコン製の部材であり、中栓５０の下部嵌合溝５１に嵌合される。そして、栓体２０が容器本体１０の開口部１４に取付けられると、その外周部は開口部１４の壁面に当接し、容器本体１０を密封する。そして、中栓５０から栓体パッキン４８を取り外した状態を図７に示し、中栓５０に栓体パッキン４８を取り付けた状態を図８（最下図）に示す。
【００３７】
栓体２０は以下のように組み立てられる。その前に上蓋２２と内蓋２４とを溶着し、上栓２１を形成し、さらに栓リング４０の上部外周の上部嵌合溝４２に中栓パッキン４５を嵌合し、中栓５０の下部外周の下部嵌合溝５１に栓体パッキン４８を嵌合しておく。
【００３８】
まず、栓カバー本体３１と栓リング４０とを組み付けて栓カバー３０を形成する。栓リング４０上方に栓カバー本体３１を置き、栓リング４０のフランジ４１と栓カバー本体３１の窪み３５、さらには栓リング４０の直線部４１ａと栓カバー本体３１の直線部３６を合わせ、栓リング４０のフランジ４１及び直線部４１ａを栓カバー本体３１の窪み３５及び直線部３６に嵌入する。
【００３９】
その状態で栓カバー本体３１を下方に押し込む。すると、栓カバー本体３１の中央開口３４の突起３７が中栓パッキン４５の環状突起４６を乗り越えてその下方に嵌合する。その結果、栓カバー本体３１と栓リング４０とはお互い回転不能で且つ密閉状態に組み付けられる。
【００４０】
この時の押圧力は小さな力で行うことができる。そのため、栓カバー本体３１と栓リング４０との分解組立は容易に行うことができる。このように、栓カバー本体３１と栓リング４０との分解組立は、ネジではなく、単に上下方向の嵌合ないし切り離しで行われる。
【００４１】
なお、栓カバー本体３１と栓リング４０とは一体部品として形成してもよい。その場合、栓カバー本体３１と栓リング４０とによって形成される環状溝５５の洗浄が若干困難になる。
【００４２】
次いで、中栓５０の上方に一体となった栓カバー本体３１及び栓リング４０を置き、栓リング４０内に中栓５０を嵌入する。栓リング４０の内周及び中栓５０の外周は平坦で、且つ栓リング４０の内周は中栓５０の外周より若干大きいため、その嵌入は容易であり、嵌入後は中栓５０は栓リング４０内で回転自在である。
【００４３】
なお、嵌入後では、中栓５０の上端部は栓カバー本体３１及び栓リング４０の上端部より若干上方に突き出し、栓体パッキン４８の上面は栓リング４０の下端部に水密状に当接する。組み立てられた状態を図４（下図）に示す。
【００４４】
次いで、図４に示すように、組み立てられた栓カバー３０（栓カバー本体３１及び栓リング４０）と中栓５０との上方に上栓２１を置き、上栓２１の内蓋２４の内蓋外周ネジ２４ｂを、中栓５０の中栓内周ネジ５２に螺合して結合する。
【００４５】
結合後では、上蓋２２のスカート部２２ｃの下端部は栓カバー本体３１の外周上面と若干の隙間を有して対向し、内蓋２４のフランジ部２４ａの下面が中栓５０の上端部に密に当接し、栓体パッキン４８の上面は栓リング４０の下端部に密に当接する。
【００４６】
その結果、上栓２１と中栓５０とは強く一体に結合されてユニット化（以下、ユニット物という。）されて一体に動き、栓カバー３０はユニット物に対して回転自在になる。即ち、栓カバー３０とユニット物は相対的に回転自在である。
【００４７】
上記螺合によって、上栓２１と栓カバー３０と中栓５０とを同時に結合することができる。結合した状態を図３に示す。即ち、４部材の取り付けを容易に行うことができる。
【００４８】
栓体２０の機能について説明する。栓体２０の閉鎖時、栓体２０の栓体パッキン４８は、図１及び図２に示すように、開口部１４に水密状に当接している。この状態で、栓体２０を開栓する方向に回転させると（その回転は栓カバー３０の外周を持って回転することになる。）、栓カバー３０は、容器本体１０の内ケース内周ネジ１５に沿って回転しながら上動し（実際には栓リング４０の栓リング外周ネジ４３が容器本体１０の内ケース内周ネジ１５に沿って回転しながら上動する）、ユニット物は、栓カバー３０に連動して回転することなく上方に持ち上げられる。
【００４９】
ユニット物が回転することなく上方に持ち上げられる理由は、栓体パッキン４８と開口部１４との間の摩擦力によりユニット物の回転が阻止されるためである。その結果、栓体パッキン４８がねじれて発生する所謂鳴きがなくなる。なお、栓体パッキン４８が開口部１４から離れた後では、回転を阻止する摩擦力がなくなり、ユニット物は栓カバー３０とともに回転しながら上動する。
【００５０】
また、閉栓時においても同じであり、閉栓時の場合は、ユニット物は、栓体パッキン４８と開口部１４とが当接するまでは栓カバー３０と共に回転し、当接後は発生する摩擦力によりユニット物は回転することなく下動し、栓体パッキン４８と開口部１４との間に発生する所謂鳴きをなくす。
【００５１】
上栓２１と栓カバー３０と中栓５０とは分解可能であり、各部品を分解して食洗機等で容易に洗うことができる。また、栓カバー３０を栓カバー本体３１と栓リング４０とに分解することにより、両部材の間に形成される幅の狭い環状溝５５（図２参照）を食洗機等で容易に洗うことができる。
【００５２】
なお、栓カバー３０が単一部材であっても、上栓２１と栓カバー３０と中栓５０とに分解することにより食洗機等で容易に洗うことができる。
【００５３】
本願発明は、上記実施例の構成に限定されるものではなく、発明の要旨を逸脱しない範囲において適宜設計変更可能であることは勿論である。
【符号の説明】
【００５４】
Ｓ…ステンレスボトル          １０…容器本体
１１…内ケース                １２…外ケース
１３…底板                    １４…開口部
１５…内ケース内周ネジ        １６…小径部
１８…内部空間                ２０…栓体
２１…上栓                    ２２…上蓋
２２ａ…円板部                ２２ｂ…筒部
２２ｃ…スカート部            ２４…内蓋
２４ａ…フランジ部            ２４ｂ…内蓋外周ネジ
３０…栓カバー                ３１…栓カバー本体
３３…スカート部              ３４…中央開口
３６…直線部                  ３７…突起
４０…栓リング                ４１…フランジ
４１ａ…直線部                ４２…上部嵌合溝
４３…栓リング外周ネジ        ４５…中栓パッキン
４６…環状突起                ４８…栓体パッキン
５０…中栓                    ５１…下部嵌合溝
５２…中栓内周ネジ            ５５…環状溝
【図１】
0005929510.tif 000002
【図２】
0005929510.tif 000003
【図３】
0005929510.tif 000004
【図４】
0005929510.tif 000005
【図５】
0005929510.tif 000006
【図６】
0005929510.tif 000007
【図７】
0005929510.tif 000008
【図８】
0005929510.tif 000009
【図９】
0005929510.tif 000010